(57)【要約】  本発明は、容器の上部に突出するリベットを含む容器用プロテクタであって、容器用プロテクタは、上蓋と、容器の側壁に結合される下部リングとを含み、上蓋と下部リングとは、互いに接続されている。下部リングは、複数のロックタブを含み、複数のロックタブは、下部リングの内面から上向きに下部リングの外周全体に沿って突出する。ロックタブは、下部リングの垂直部分に対して傾斜角度を有する。ロックタブは、容器の側壁を保持し容器の上部に存在するリベットの下に当接するよう設計される。上蓋は、下部リングに対して上蓋が閉じた状態でロックタブに取り付けられる、外周フランジの内面から突出する少なくとも１つの負の部分を含む。
2021516199.tif 000002
【特許請求の範囲】
【請求項１】
容器の上部に突出するリベットを含む円筒容器に結合されるよう意図された容器用プロテクタであって、
前記容器の上面を覆う上蓋と、
前記容器の側壁に結合される下部リングと、
を備え、
前記上蓋と前記下部リングとはともに、ヒンジ式で固定され、
前記下部リングは、上部フランジに近い位置に、前記下部リングの内面から上向きに前記下部リングの外周全体に沿って突出し、互いに離間した複数のロックタブを含み、
前記ロックタブは、前記下部リングの垂直部分に対して傾斜角度を有し、
前記ロックタブは、前記容器の前記側壁を保持し、前記容器の前記上部に存在する前記リベットの下に当接するよう設計され、
前記上蓋は、前記下部リングに対して前記上蓋が閉じた状態でロックタブに固定される、外周フランジの内面から突出する少なくとも１つの負の部分を含む、
容器用プロテクタ。
【請求項２】
外周フランジの内面から突出する前記少なくとも１つの負の部分は、前記下部リングに対して前記上蓋が閉じた状態で前記ロックタブに対向し、かつ接触している、
請求項１に記載の容器用プロテクタ。
【請求項３】
前記下部リングに対して前記上蓋が閉じた状態で前記ロックタブに対向し、かつ接触している、外周フランジの内面から突出する複数の負の部分を含む、
請求項１に記載の容器用プロテクタ。
【請求項４】
前記下部リングに対して前記下部リングに対して前記上蓋が閉じた状態で前記ロックタブの間の自由空間を占める、外周フランジの内面から突出する複数の負の部分を含む、
請求項１に記載の容器用プロテクタ。
【請求項５】
それぞれの前記ロックタブは、下部領域に材料厚みの小さい部分を有する、
請求項１に記載の容器用プロテクタ。
【請求項６】
前記下部リングは、その外面から突出する複数の仕切りを有する、
請求項１に記載の容器用プロテクタ。
【請求項７】
前記上蓋の側壁は、複数の仕切りを有する。
請求項１から６のいずれか１項に記載の容器用プロテクタ。
【請求項８】
前記上蓋に存在する前記仕切りは、前記下部リングに存在する前記仕切りに対して相補的な形状およびサイズである、
請求項５または６に記載の容器用プロテクタ。
【請求項９】
前記下部リングは、前記容器に接触するよう意図された面取りされた下部延長部を含む、
請求項１から８のいずれか１項に記載の容器用プロテクタ。
【発明の詳細な説明】
【技術分野】
【０００１】
本出願の目的は、容器用プロテクタを登録することである。
【０００２】
より具体的には、本発明は、容器の上部に突出したリベットを含む円筒容器に結合されるよう意図された容器用プロテクタであって、容器の上面を覆う上蓋と、容器の側壁に結合可能な下部リングと、を含み、下部リングが容器に対して回転可能である容器用プロテクタの開発を提案する。
【背景技術】
【０００３】
衛生目的での容器用プロテクタの配置は、容器に結合可能な下部リングにヒンジ領域によって接合される上蓋で構成され、最新の技術分野でよく知られている。これらのプロテクタは、特に缶タイプの容器に適している。このタイプのプロテクタの例は、同じ出願人が保有するスペイン国発明特許第１０７１３０３号明細書、スペイン国発明特許第１０７２０３１号明細書に記載されている。
【０００４】
先行特許明細書に記載されたプロテクタは衛生目的を十分に満たしているが、市場の新しいニーズはますます増えている。その中には、例えば小売販売のために容器が表示される場合に、容器のディスプレイの存在感を改善するために、容器のマークまたは点に対して整列してプロテクタを配置することができる可能性が含まれる。容器のアセンブリの視覚的な外観（製品ブランドまたはロゴの表示、プロモーション）は流通会社にとって非常に興味深い点である。
【０００５】
したがって、プロテクタの構造的な複雑性を暗示することなく、容器用プロテクタを単純かつ容易に消費者にリダイレクトできることが必要である。
【０００６】
加えて、出願人は現在、本明細書に記載されるすべての特徴を有する発明の存在を認識していない。
【発明の概要】
【０００７】
本発明は、出願分野内で新規性を有し、以下の説明から明らかになる他の追加の利点にも寄与しつつ上述の欠点を解決する、容器用プロテクタを提供する目的で開発された。
【０００８】
したがって、本発明の目的は、容器の上部に突出したリベットを含む円筒容器に結合されるよう意図された容器用プロテクタであって、容器の上面を覆う上蓋と、容器の側壁に結合可能な下部リングと、を含み、上蓋と下部リングとが互いにヒンジ式に取り付けられている容器用プロテクタを提供することである。
【０００９】
特に、本発明は、以下の特徴を有する。下部リングが、上部フランジに近い位置に互いに離間した複数のロックタブを含み、複数のロックタブは下部リングの内面から上向きに下部リングの外周全体に沿って突出する。ロックタブは、下部リングの垂直部分に対して傾斜角度を有する。ロックタブは、容器の側壁を保持し、容器の上部に存在するリベットの下に当接するよう設計される。上蓋は、少なくとも外周フランジの内面から突出する少なくとも１つの負の部分（ｎｅｇａｔｉｖｅ  ｐｏｒｔｉｏｎ）を含む。負の部分は、下部リングに対して上蓋が閉じた状態でロックタブに固定されている。
【００１０】
一実施の形態において、外周フランジの内面から突出する少なくとも１つの負の部分は、下部リングに対して上蓋が閉じた状態でロックタブに対向し、かつ接触している。
【００１１】
代替的な実施の形態において、下部リングに対して上蓋が閉じた状態でロックタブに対向し、かつ接触している、外周フランジの内面から突出する複数の負の部分を含む。
【００１２】
代替的な実施の形態において、容器用プロテクタは、下部リングに対して上蓋が閉じた状態でロックタブの間の自由空間を占める外周フランジの内面から突出する複数の負の部分を含む。
【００１３】
また、本発明が上述の実施の形態を組み合わせた負の部分の構成を有する可能性もある。
【００１４】
下部リングはさらに、面取りされた下部延長部を含む。下部延長部は、組み立て時にプロテクタと容器との間のセンタリングの際に起こり得る変動を吸収することができるため、容器への下部リングの挿入を容易にする。
【００１５】
これらの特徴により、ユーザにとっての衛生面での利点に加えて、消費される飲料が通る容器の排出領域、例えば出口は、容器に対してプロテクタのアセンブリの回転を容易にする。このため、容器の「前位置」を容器の残りの特定の点に対して調整することができる。さらに、この構造的な構成により、望ましくない方法で容器からプロテクタが抜き取られるのを防ぐことができる。さらに、ロックタブの存在により、対応する容器でのプロテクタの組み立て中に下部リングの残りの部分が被る可能性のある変形が低減される。
【００１６】
本発明の別の態様によると、それぞれのロックタブは、下部領域に材料厚みの小さい部分を有する。これにより、ある程度の可撓性が可能になり、組み立て作業中の容器へのプロテクタの配置が容易になる。それによって、組み立てプロセスが最適化され、組み立てられている容器に対してプロテクタを回転させる動作を容易にする。
【００１７】
好ましくは、下部リングは、その外面から突出する複数の仕切りを有し、それによって、必要に応じてその回転を容易にするために、ユーザに対してプロテクタのより良い保持面を提供する。
【００１８】
また好ましくは、上蓋の側壁は複数の仕切りを有する。
【００１９】
有利には、上蓋に存在する仕切りは、下部リングに存在する仕切りに対して相補的な形状およびサイズである。
【００２０】
本発明の目的である、容器用プロテクタの他の特徴および利点は、非限定的であるが好ましい実施の形態に照らすと明らかになるであろう。それは、非限定的な例として添付の図面に示されている。
【図面の簡単な説明】
【００２１】
【図１】本発明にかかる容器用プロテクタの第１実施形態の開位置における斜視図である。
【図２】容器内に配置された閉位置における図１に示す容器用プロテクタの斜視図である。
【図３】容器内に組み立てられた機能状態における容器用プロテクタの断面詳細立面図である。
【図４】本発明にかかる容器用プロテクタの第２実施形態の斜視図である。
【図５】本発明にかかる容器用プロテクタの第３実施形態の斜視図である。
【図６】従来の容器における本発明のプロテクタの組立手順を示す概略図である。
【発明を実施するための形態】
【００２２】
上述の図を考慮し、採用された符号に従って、本発明の好ましい実施の形態の一例を観察することができ、これは、以下に詳細に示され説明された部品および要素を含む。
【００２３】
図１および図４に示す２つの実施の形態からわかるように、容器の上部に突出するリベットを含む円筒容器に結合されることを意図された容器用プロテクタは、容器の上面を覆う上蓋（１）と、容器（Ｅ）の側壁に結合された下部リング（２）とを含む。上蓋（１）と下部リング（２）とはともに、ヒンジ部（３）によりヒンジ式に固定され、両者は射出成形が可能なプラスチック材料により形成されている。
【００２４】
このプロテクタは、図１および図４に示すプロテクタの構造的な構成により、防水シールおよびシーリングシャッターの２つの機能を有することに留意すべきである。
【００２５】
上蓋は、外周フランジ（１７）の内面から突出する少なくとも１つの負の部分（１６）（図１に示す第１実施形態）を含み、負の部分（１６）は、下部リング（２）に対して上蓋（１）が閉状態でロックタブ（４）の領域と容器のリベット（１０）とに対向し、かつ接触する。
【００２６】
図４に示す実施の形態は、互いに分離され、外周フランジ（１７）の長さに沿って位置する複数の負の部分（１６）が配置されている点で、図１に示す実施の形態と異なる。
【００２７】
容器に対するプロテクタの回転を可能にするために、下部リング（２）は上部フランジに近い位置に、互いに分離したロックタブ（４）を有する。ロックタブ（４）は、下部リング（２）の内面から上向きに下部リング（２）の外周全体に沿って突出する。ロックタブは、下部リングの垂直部分（５）に対して傾斜角度を有する。ロックタブ（４）は、容器（Ｅ）の側壁を保持し容器（Ｅ）の上部に存在するリベット（１０）の下に当接するよう設計される。
【００２８】
有利には、それぞれのロックタブ（４）は、図３でより詳細に見ることができるように、下部領域に材料厚みの小さい部分（４０）を有する。
【００２９】
上蓋（１）を回転させて特定の方法で位置決めするためのホールドを容易にするために、下部リング（２）と上蓋（１）の側壁とは、それぞれの外面から突出する複数の仕切り（６、７）を有する。
【００３０】
上蓋（１）に存在する仕切り（６）は、下部リング（２）に存在する仕切り（７）に対して相補的な形状およびサイズである。
【００３１】
さらに、プロテクタは、下部リングから外向きに突出し、容器の初回使用前の状態で対応する窓に挿入される一対の突起（８）からなる保証シールを含む。ユーザが下部リング（２）から上蓋（１）を分離させた場合、突起（８）は脆弱領域（９）を破断する。したがって、ユーザは、以前に使用されたことがあるかどうかを知ることができるようになる。
【００３２】
上蓋（１）は、好ましくは、何らかの食材、またはカトラリー、または同様のものを含む袋またはパウチのような追加の物体を収容するための空間を画定する、中心の突出部分からなるハウジング（１１）を含む。図示されるように、ハウジングの上部は平坦な表面（１２）を有し、これにより、ユーザが容易に読み取ることができる表面上でのパブリケーション（ｐｕｂｌｉｃａｔｉｏｎｓ）の表示が容易になる。
【００３３】
図２および図３に示すように、ユーザが上蓋（１）を開けるのを助けるために、上蓋（１）の前部に位置する舌部（１３）が設けられている。
【００３４】
下部リングはさらに、容器への下部リングの挿入を容易にすることを意図された面取りされた下部延長部（１５）を含む。
【００３５】
図５は、上蓋が、下部リング（２）に存在するロックタブ（４）に重なる負の部分、すなわち、上蓋（１）の負の部分から突出し、下部リング（２）のロックタブの間に存在する空間を占める小突起（１８）を含む点で、図４に示す実施の形態と異なる本発明の代替的な実施の形態を示す。
【００３６】
図６は、上蓋に圧力を加えることにより実行される、缶タイプの容器にプロテクタを配置するプロセスを示す。上蓋は、容器内に存在するリベットの下のジョイントクリップ位置に到達するまで下部リングを押すものである。上述の下部リングのロックタブは、厚みの小さい部分のある断面を有し、それにより、特定の曲げ／回転点が生成される。このため、ロックタブが容器のリベットに対して衝突する組立工程中に、ロックタブ（４）が垂直に開き、ロックタブが容器のリベットの下に収容されるまで下部リングが入ることを可能にする。
【００３７】
図３でより明確に示されるように、機能状態で、容器のリベット（１０）の上部と上蓋（１）の下部との間には自由空間があり、それにより、容器に対するプロテクタの回転の動作を容易にする。さらに、この態様は、ロックタブ（４）をリベットの下に適切に配置することを容易にする。
【００３８】
本発明の容器用プロテクタを製造するために使用される、詳細、形状、寸法、および他の付属要素は、以下に含まれる特許請求の範囲に定義される範囲から逸脱しない他のものに適切に置き換えてもよい。
【図１】
2021516199.tif 000003
【図２】
2021516199.tif 000004
【図３】
2021516199.tif 000005
【図４】
2021516199.tif 000006
【図５】
2021516199.tif 000007
【図６】
2021516199.tif 000008
【国際調査報告】
2021516199.tif 000009
2021516199.tif 000010
2021516199.tif 000011
2021516199.tif 000012